(57)【要約】【課題】複数の処理項目に分割された情報の処理の進捗状況を的確に確認できるようにする。【解決手段】外国の情報送信部１１から送信された情報を、情報処理手段１３で複数の処理項目に分割して処理し、その処理結果を外国の情報受信部１２に返信する。情報処理手段１３による情報の処理状況を処理状況確認手段１５で確認し、確認した情報の処理状況を処理状況出力手段２０で二次元座標上に表示する。その際に、二次元座標の一方および他方の座標軸をそれぞれ時間の経過を示す軸および複数の処理項目を示す軸とし、複数の処理項目の各々の処理が終了した時刻を二次元座標上にマークで表示することで、二次元座標上のマークの配列パターンを視覚的に捉えて情報の処理が的確に進捗しているか否かを容易に認識することができる。【選択図】      図１
2004302570.tif 000002
【特許請求の範囲】
【請求項１】
複数の処理項目に分割して情報を処理する情報処理手段（１３）と、
情報処理手段（１３）で処理した情報の処理状況を確認する処理状況確認手段（１５）と、
処理状況確認手段（１５）で確認した情報の処理状況を二次元座標上に表示する処理状況出力手段（２０）とを備え、
前記二次元座標の一方の座標軸は時間の経過を示す軸であり、他方の座標軸は前記複数の処理項目を示す軸であり、前記処理状況出力手段（２０）は前記複数の処理項目の各々の処理が終了した時刻を前記二次元座標上にマークで表示することを特徴とする情報処理進捗状況確認システム。
【請求項２】
前記二次元座標上にマークで表示する所定の処理項目を、前記複数の処理項目のうちから選択する表示項目選択手段（２１）を備えたことを特徴とする、請求項１に記載の情報処理進捗状況確認システム。
【請求項３】
前記複数の処理項目を複数の群に分けて表示する群分け表示手段（２６）を備え、群分け表示手段（２６）は各群毎にマークの形状あるいは色彩を異ならせて表示することを特徴とする、請求項１に記載の情報処理進捗状況確認システム。
【請求項４】
前記複数の処理項目の各々の処理が終了すべき目標処理時刻を記憶する目標処理時刻記憶手段（２２）と、目標処理時刻記憶手段（２２）に記憶された目標処理時刻を前記二次元座標上に表示する目標処理時刻表示手段（２３）とを備えたことを特徴とする、請求項１に記載の情報処理進捗状況確認システム。
【請求項５】
前記複数の処理項目は少なくとも情報受信処理と、情報加工処理と、情報返信処理とを含み、
前記処理状況出力手段（２０）は、前記二次元座標の時間の経過を示す座標軸に、情報を送信して情報の返信を受ける地域の時間と、情報を加工する地域の時間とを表示することを特徴とする、請求項１に記載の情報処理進捗状況確認システム。
【請求項６】
前記処理状況出力手段（２０）は、前記二次元座標の時間の経過を示す座標軸に現在の時刻を表示することを特徴とする、請求項５に記載の情報処理進捗状況確認システム。
【請求項７】
地域別の時間を記憶する地域別時間記憶手段（１８）と、時間を表示する地域を選択する時間表示地域選択手段（２４）とを備え、
前記処理状況出力手段（２０）は、時間表示地域選択手段（２４）で選択した少なくとも一つの地域別の時間を前記二次元座標の時間の経過を示す座標軸に表示することを特徴とする、請求項５に記載の情報処理進捗状況確認システム。
【請求項８】
勤務時間を記憶する勤務時間記憶手段（１８ａ）を備え、
前記処理状況出力手段（２０）は、勤務時間記憶手段（１８ａ）に記憶した勤務時間を前記二次元座標の時間の経過を示す座標軸に表示することを特徴とする、請求項５に記載の情報処理進捗状況確認システム。
【請求項９】
休祭日を記憶する休祭日記憶手段（１８ｂ）を備え、
前記処理状況出力手段（２０）は、休祭日記憶手段（１８ｂ）に記憶した休祭日を前記二次元座標の時間の経過を示す座標軸に表示することを特徴とする、請求項５に記載の情報処理進捗状況確認システム。
【請求項１０】
時間表示地域選択手段（２４）は複数の地域を選択し、処理状況出力手段（２０）は前記複数の地域の時間を同時に表示することを特徴とする、請求項７に記載の情報処理進捗状況確認システム。
【発明の詳細な説明】
【０００１】
【発明の属する技術分野】
本発明は、複数の情報を処理する作業の進捗状況を視覚的に分かりやすく表示するための情報処理進捗状況確認システムに関する。
【０００２】
【従来の技術】
国内および国外に跨がるスケジュールを表示する際にホームタイムおよびワールドタイムを併記することで、スケジュールの各項目に対応するホームタイムおよびワールドタイムを同時に認識できるようにしたスケジュール表示装置が、下記特許文献１により公知である。
【０００３】
また機種の異なるコンピュータ間でのソフトウエアのコンバージョン作業を行う際に、そのコンバージョン作業を複数の単位作業に分割するとともに、各々の単位作業の進捗状況を一覧表にして表示するものが、下記特許文献２により公知である。
【０００４】
【特許文献１】
特開２００１−３１８１７５号公報
【特許文献２】
特開平５−２００５１号公報
【０００５】
【発明が解決しようとする課題】
ところで上記特許文献１に記載されたものは、スケジュールの各項目の横にホームタイムおよびワールドタイムを数字で表示するだけなので、一連のスケジュールがオンタイムで進行しているか否かを確認することができないという問題があった。また上記特許文献２に記載されたものは、仮に国外から作業の依頼が出され、国内で作業が実行される場合には、国内および国外の時差が考慮されていないために作業の進捗状況を把握し難いという問題があった。
【０００６】
本発明は前述の事情に鑑みてなされたもので、複数の処理項目に分割された情報の処理の進捗状況を的確に確認できるようにすることを目的とする。
【０００７】
【課題を解決するための手段】
上記目的を達成するために、請求項１に記載された発明によれば、複数の処理項目に分割して情報を処理する情報処理手段と、情報処理手段で処理した情報の処理状況を確認する処理状況確認手段と、処理状況確認手段で確認した情報の処理状況を二次元座標上に表示する処理状況出力手段とを備え、前記二次元座標の一方の座標軸は時間の経過を示す軸であり、他方の座標軸は前記複数の処理項目を示す軸であり、前記処理状況出力手段は前記複数の処理項目の各々の処理が終了した時刻を前記二次元座標上にマークで表示することを特徴とする情報処理進捗状況確認システムが提案される。
【０００８】
上記構成によれば、情報処理手段で情報を複数の処理項目に分割して処理し、情報の処理状況を処理状況確認手段で確認し、確認した情報の処理状況を処理状況出力手段で二次元座標上に表示する。その際に、二次元座標の一方および他方の座標軸をそれぞれ時間の経過を示す軸および複数の処理項目を示す軸とし、複数の処理項目の各々の処理が終了した時刻を二次元座標上にマークで表示するので、二次元座標上のマークの配列パターンを視覚的に捉えることで情報の処理が的確に進捗しているか否かを容易に認識することができる。
【０００９】
また請求項２に記載された発明によれば、請求項１の構成に加えて、前記二次元座標上にマークで表示する所定の処理項目を、前記複数の処理項目のうちから選択する表示項目選択手段を備えたことを特徴とする情報処理進捗状況確認システムが提案される。
【００１０】
上記構成によれば、表示項目選択手段が、二次元座標上にマークで表示する所定の処理項目を複数の処理項目のうちから選択するので、二次元座標上に必用なマークだけを表示することができる。
【００１１】
また請求項３に記載された発明によれば、請求項１の構成に加えて、前記複数の処理項目を複数の群に分けて表示する群分け表示手段を備え、群分け表示手段は各群毎にマークの形状あるいは色彩を異ならせて表示することを特徴とする情報処理進捗状況確認システムが提案される。
【００１２】
上記構成によれば、複数の処理項目を複数の群に分けて表示する群分け表示手段が、各群毎にマークの形状あるいは色彩を異ならせて表示するので、各群のマークの識別を容易にして該マークの配列パターンを認識し易くすることができる。
【００１３】
また請求項４に記載された発明によれば、請求項１の構成に加えて、前記複数の処理項目の各々の処理が終了すべき目標処理時刻を記憶する目標処理時刻記憶手段と、目標処理時刻記憶手段に記憶された目標処理時刻を前記二次元座標上に表示する目標処理時刻表示手段とを備えたことを特徴とする情報処理進捗状況確認システムが提案される。
【００１４】
上記構成によれば、目標処理時刻表示手段が、目標処理時刻記憶手段に記憶された複数の処理項目の各々の処理が終了すべき目標処理時刻を二次元座標上に表示するので、二次元座標上に表示されたマークを目標処理時刻と比較することで、各々の処理項目の処理がオンタイムで終了しているか否かを容易かつ確実に判断することができる。
【００１５】
また請求項５に記載された発明によれば、請求項１の構成に加えて、前記複数の処理項目は少なくとも情報受信処理と、情報加工処理と、情報返信処理とを含み、前記処理状況出力手段は、前記二次元座標の時間の経過を示す座標軸に、情報を送信して情報の返信を受ける地域の時間と、情報を加工する地域の時間とを表示することを特徴とする情報処理進捗状況確認システムが提案される。
【００１６】
上記構成によれば、処理状況出力手段が、二次元座標の時間の経過を示す座標軸に、情報を送信して情報の返信を受ける地域の時間と、情報を加工する地域の時間とを表示するので、両地域で処理が実行される時刻を、それぞれの地域の時間で知ることができる。
【００１７】
また請求項６に記載された発明によれば、請求項５の構成に加えて、前記処理状況出力手段は、前記二次元座標の時間の経過を示す座標軸に現在の時刻を表示することを特徴とする情報処理進捗状況確認システムが提案される。
【００１８】
上記構成によれば、処理状況出力手段が、二次元座標の時間の経過を示す座標軸に現在の時刻を表示するので、現在の時刻に対する情報処理の進捗状況を容易に把握することができる。
【００１９】
また請求項７に記載された発明によれば、請求項５の構成に加えて、地域別の時間を記憶する地域別時間記憶手段と、時間を表示する地域を選択する時間表示地域選択手段とを備え、前記処理状況出力手段は、時間表示地域選択手段で選択した少なくとも一つの地域別の時間を前記二次元座標の時間の経過を示す座標軸に表示することを特徴とする、請求項５に記載の情報処理進捗状況確認システムが提案される。
【００２０】
上記構成によれば、処理状況出力手段が、地域別時間記憶手段に記憶された地域別の時間のうちから、時間表示地域選択手段で選択した地域別の時間を二次元座標の時間の経過を示す座標軸に表示するので、情報を送信して情報の返信を受ける地域の時間と、情報を加工する地域の時間とを表示することで、両地域の時差を考慮した情報処理の進捗状況を容易に把握することができる。
【００２１】
また請求項８に記載された発明によれば、請求項５の構成に加えて、勤務時間を記憶する勤務時間記憶手段を備え、前記処理状況出力手段は、勤務時間記憶手段に記憶した勤務時間を前記二次元座標の時間の経過を示す座標軸に表示することを特徴とする情報処理進捗状況確認システムが提案される。
【００２２】
上記構成によれば、処理状況出力手段が、二次元座標の時間の経過を示す座標軸に勤務時間を表示するので、勤務時間を考慮した情報処理の進捗状況を容易に把握することができ、また相手地域に連絡をとるタイミングを誤ることがない。
【００２３】
また請求項９に記載された発明によれば、請求項５の構成に加えて、休祭日を記憶する休祭日記憶手段を備え、前記処理状況出力手段は、休祭日記憶手段に記憶した休祭日を前記二次元座標の時間の経過を示す座標軸に表示することを特徴とする情報処理進捗状況確認システムが提案される。
【００２４】
上記構成によれば、処理状況出力手段が、二次元座標の時間の経過を示す座標軸に休祭日を表示するので、休祭日を考慮した情報処理の進捗状況を容易に把握することができ、また相手地域に連絡をとるタイミングを誤ることがない。
【００２５】
また請求項１０に記載された発明によれば、請求項７の構成に加えて、時間表示地域選択手段は複数の地域を選択し、処理状況出力手段は前記複数の地域の時間を同時に表示することを特徴とする情報処理進捗状況確認システムが提案される。
【００２６】
上記構成によれば、時間表示地域選択手段が複数の地域を選択して処理状況出力手段が複数の地域の時間を同時に表示するので、複数の地域の時間の時差を確実に認識することができる。
【００２７】
尚、本発明における地域とは、国そのものと、国に含まれる地域との両方を含むものとする。
【００２８】
【発明の実施の形態】
以下、本発明の実施の形態を、添付図面に示した本発明の実施例に基づいて説明する。
【００２９】
図１〜図４は本発明の一実施例を示すもので、図１は情報処理進捗状況確認システムのブロック図、図２は処理状況出力手段の画面の第１の例を示す図、図３は処理状況出力手段の画面の第２の例を示す図、図４は処理状況出力手段の画面の第３の例を示す図である。
【００３０】
本実施例は、自動車の部品の保証に関する情報処理を対象にしている。世界各国の支社から自動車の部品の保証に関する確認請求（その自動車の部品が保証範囲内にあるか否かの確認請求）を日本に送信し、そのデータを受信した日本の処理部門において前記各確認請求に対する確認処理を一括して実行した後、その確認結果を請求元に返信する作業を毎日実行する。確認請求を送信する世界各国と日本との間にはそれぞれ異なる時差があり、各国の支社はその勤務時間内に確認請求の送信と確認結果の受信とを済ませる必要があるため、日本では２４時間を通して各国の支社からの確認請求に対応する確認処理が行われる。
【００３１】
図１に示すように、世界各国の支社はそれぞれ情報送信部１１および情報受信部１２を備えており、それらの情報送信部１１および情報受信部１２はネットワークを介して日本国内で自動車の部品の保証に関する情報処理を行う情報処理手段１３に接続される。情報送信部１１は自動車の部品の保証に関する１日分の確認請求を１バッチとして情報処理手段１３に送信する。確認請求のデータ量が多い場合には、１日分の確認請求のデータを複数群（複数バッチ）に分割して送信する場合もあり、休日明けには休日分を含む複数日分の確認請求のデータを１バッチとして送信する場合もある。情報送信部１１から送信される確認請求のデータには、その識別を可能にするための業務コードが付与されている。
【００３２】
日本国内の情報処理手段１３は、情報送信部１１から受信した確認請求を処理して部品が保証範囲内にあるか否かを確認し、その確認結果を処理情報記憶手段１４に記憶する。そして１バッチの確認処理が終了すると、処理情報記憶手段１４に記憶された確認結果を前記情報送信部１１に対応する情報受信部１２に返信する。
【００３３】
情報処理手段１３に接続された処理状況確認手段１５および処理状況記憶手段１６には、情報送信部１１からの確認請求の送信開示時刻および送信終了時刻と、情報処理手段１３での情報処理開始時刻および情報処理終了時刻と、情報受信部１２への確認結果の返信開示時刻および返信終了時刻とが入力される。
【００３４】
処理状況確認手段１５に接続された業務コード記憶手段１７には、業務コードに対応する業務内容が記憶されている。図２に示すように、業務コードＷＩＳ０１〜０５はアメリカ支社の業務に対応しており、ＷＩＳ０１は確認請求の日本への送信開始、ＷＩＳ０２は確認請求の日本へ送信終了、ＷＩＳ０３は確認処理の開始、ＷＩＳ０４は確認処理の終了、ＷＩＳ０５は確認結果のアメリカへの返信開始、ＷＩＳ０６は確認結果のアメリカへの返信終了である。
【００３５】
処理状況確認手段１５に接続された国（地域）別時間記憶手段１８には、国（地域）別の勤務時間のデータを記憶する勤務時間記憶手段１８ａと、国（地域）別の休祭日のデータを記憶する休祭日記憶手段１８ｂと、サマータイムのデータを記憶するサマータイム記憶手段１８ｃとが接続される。
【００３６】
処理状況確認手段１５に接続された表示項目記憶手段１９には、処理状況出力手段２０の表示画面に表示する項目、即ち確認請求の日本への送信開始時刻、確認請求の日本へ送信終了時刻、確認処理の開始時刻、確認処理の終了時刻、確認結果のアメリカへの返信開始時刻、確認結果のアメリカへの返信終了時刻の６個の項目が記憶されており、表示項目選択手段２１で前記６個の項目のうちの任意の項目を選択するようになっている。
【００３７】
表示項目記憶手段１９および処理状況確認手段１５に接続された目標処理時刻記憶手段２２には、各々の表示項目に対応する目標処理時刻が記憶される。目標処理時刻は、各々の表示項目の処理がスケジュールどおりに実行された場合に処理が終了する時刻であり、目標処理時刻表示手段２３を介して処理状況出力手段２０の表示画面に表示される。
【００３８】
更に、処理状況確認手段１５には、時間表示国（地域）選択手段２４、現在時刻表示手段２５および群分け表示手段２６が接続される。時間表示国（地域）選択手段２４は、処理状況出力手段２０の表示画面に時間を表示する国（地域）を選択する。現在時刻表示手段２５は、処理状況出力手段２０の表示画面に現在時刻を表示する。群分け表示手段２６は、処理状況出力手段２０の表示画面に表示される処理終了マークの形状および色彩を、バッチ毎に異ならせて表示する。
【００３９】
次に、図２に基づいて処理状況確認手段１５に接続された処理状況出力手段２０の表示画面の第１の例を説明する。
【００４０】
処理状況出力手段２０の表示画面は二次元座標を構成しており、その横軸は時間の経過を示す軸であり、その縦軸は複数の処理項目を示す軸である。横軸には日本時間以外に、時間表示国（地域）選択手段２４で選択したアメリカ時間とヨーロッパ時間とが各々時差をもって表示される。その際に、国（地域）別時間記憶手段１８に記憶された勤務時間のデータや休祭日のデータが参照される。即ち、各国の時間において枠で囲んだ範囲は１日のうちの勤務時間を示しており、仮にその日が休日や祝日であれば勤務時間の枠は表示されない。また現在時刻表示手段２５により、横軸上に菱形のマークで現在時刻が表示される。尚、横軸に表示される時間は長いほど良く、少なくとも４８時間（２日間）以上であることが望ましい。
【００４１】
縦軸の上半部に記載した選択Ａは例えば情報処理担当者が必用とする表示画面であって、表示項目選択手段２１の選択項目が、確認請求の日本への送信開始時刻、確認請求の日本へ送信終了時刻、確認処理の開始時刻、確認処理の終了時刻、確認結果のアメリカへの返信開始時刻、確認結果のアメリカへの返信終了時刻の６項目の全てである場合を示しており、縦軸の下半部に記載した選択Ｂは例えばマネージャが必用とする表示画面であって、表示項目選択手段２１の選択項目が、前記６項目から確認処理の開始時刻および終了時刻を除いた４項目である場合を示している。
【００４２】
このように、表示項目選択手段２１でマークを表示する処理項目を任意に選択できるので、不必要なマークを削除して必要なマークだけを表示し、二次元座標上のマークの配列パターンを見易くすることができる。
【００４３】
本実施例では、アメリカ支社の情報送信部１１および情報受信部１２との間の通信が毎日３バッチに別けて行われる場合を示しており、第１バッチの各処理項目の終了時刻が赤色の△マークで示され、第２バッチの各処理項目の終了時刻が青色の○マークで示され、第３バッチの各処理項目の終了時刻が黄色の×マークで示される。
【００４４】
このように、群分け表示手段２６が複数の処理項目を複数の群（バッチ）に分けて表示する際に、各群毎にマークの形状および色彩を異ならせて表示することで、各群のマークの識別を容易にするとともに、マークの配列パターンを認識し易くすることができる。
【００４５】
選択Ａにおいて△マークで示される第１バッチでは、確認請求の日本への送信開始ＷＩＳ０１が日本時間で２月７日の０時（アメリカ時間で２月６日の９時）、確認請求の日本へ送信終了ＷＩＳ０２が日本時間で２月７日の１時（アメリカ時間で２月６日の１０時）、確認処理の開始ＷＩＳ０３が日本時間で２月７日の２時（アメリカ時間で２月６日の１１時）、確認処理の終了ＷＩＳ０４が日本時間で２月７日の４時（アメリカ時間で２月６日の１３時）、確認結果のアメリカへの返信開始ＷＩＳ０５が日本時間で２月７日の５時（アメリカ時間で２月６日の１４時）、確認結果のアメリカへの返信終了ＷＩＳ０６が日本時間で２月７日の６時（アメリカ時間で２月６日の１５時）である。
【００４６】
選択Ｂでは、選択Ａの６個の処理項目のうちの４個だけが表示されている。また黄色の×マークで示す第３バッチの最後の処理項目である確認結果のアメリカへの返信終了ＷＩＳ０６は、日本の現在時刻である２月７日の８時４０（アメリカの現在時刻である２月６日の１７時４０）において未終了であることが分かる。
【００４７】
このように、二次元座標の横軸を時間の経過を示す軸とし、縦軸を複数の処理項目を示す軸とし、複数の処理項目の各々の処理が終了した時刻を二次元座標上にマークで表示するので、そのマークの配列パターンを視覚的に捉えることで情報の処理が的確に進捗しているか否かを容易に認識することができる。本実施例では、ＷＩＳ０１〜ＷＩＳ０６の処理項目が１日に３バッチ実行されるが、各バッチのマークである△，○，×の何れかの配列パターンが他の配列パターンと異なっていれば、そのバッチの進捗状況に何らかの異常があると即座に認識することができる。またＷＩＳ０１〜ＷＩＳ０６の処理項目が毎日実行されることから、その日のマークの配列パターンが過去の配列パターンと異なっていれば、その日の情報の処理の進捗状況に何らかの異常があることを即座に認識することができる。
【００４８】
また時間表示国（地域）選択手段２４で二次元座標に現地時間を表示する外国を任意に選択することができるので、確認請求を日本に送信して確認結果を日本から返信される外国の時間と、確認処理を実行する日本の時間とを時差をもって併記し、両国の時差を考慮した情報処理の進捗状況を容易に把握することができる。しかも現在時刻表示手段２５が、二次元座標の時間の経過を示す座標軸に現在の時刻を表示するので、現在の時刻に対する情報処理の進捗状況を容易に把握することができる。
【００４９】
更に、二次元座標の時間の経過を示す座標軸に、勤務時間表示手段１８ａに記憶された勤務時間が表示され、休祭日記憶手段１８ｂに記憶された休祭日が記憶され、サマータイム記憶手段１８ｃに記憶されたサマータイムが記憶されるので、勤務時間、休祭日およびサマータイムを考慮した情報処理の進捗状況を容易に把握することができるだけでなく、相手国に連絡をとるタイミングを誤ることがない。
【００５０】
次に、図３に基づいて処理状況出力手段２０の表示画面の第２の例を説明する。
【００５１】
第２の例は、図２の第１の例の第１バッチに対応する△マークだけが示されており、更に目標処理時刻表示手段２３により目標処理時刻が表示されている。目標処理時刻は６個の処理項目ＷＩＳ０１〜ＷＩＳ０６に対応する座標を線分で接続した折れ線で構成されており、実際の処理終了時刻を表す△マークが折れ線上にあるか、折れ線の近傍にあれば、各々の処理項目がオンタイムで終了していると判断され、△マークが折れ線の右側の大きくずれていれば、その処理項目に遅れが発生していると判断される。このように、処理終了時刻を表すマークを目標処理時刻と併記することで、進捗状況を一層確実に確認してトラブルの発生を速やかに認識することができる。
【００５２】
次に、図４に基づいて処理状況出力手段２０の表示画面の第３の例を説明する。
【００５３】
図２の第１の例および図３の第２の例では、単一の外国との間の一連の処理項目ＷＩＳ０１〜ＷＩＳ０６の進捗状況を確認していたが、この第３の例では、複数の外国の各々との間の一連の処理項目の最後の項目（確認結果の相手国への返信終了）だけが△マークで示される。この第３の例によれば、世界各国に対する確認結果の返送が遅滞なくスムーズに行われているか否かを、△マークの配列パターンを視覚的に捉えることで容易に確認することができる。
【００５４】
以上、本発明の実施例を説明したが、本発明はその要旨を逸脱しない範囲で種々の設計変更を行うことが可能である。
【００５５】
例えば、実施例では自動車の部品の保証に関する情報処理を対象にしているが、本発明は他の任意用途の情報処理に適用することができる。
【００５６】
また実施例では△，○，×マークの形状および色彩を共に異ならせているが、マークの形状が共通で色彩だけを異ならせても、マークの色彩が共通で形状だけを異ならせても良い。
【００５７】
【発明の効果】
以上のように請求項１に記載された発明によれば、情報処理手段で情報を複数の処理項目に分割して処理し、情報の処理状況を処理状況確認手段で確認し、確認した情報の処理状況を処理状況出力手段で二次元座標上に表示する。その際に、二次元座標の一方および他方の座標軸をそれぞれ時間の経過を示す軸および複数の処理項目を示す軸とし、複数の処理項目の各々の処理が終了した時刻を二次元座標上にマークで表示するので、二次元座標上のマークの配列パターンを視覚的に捉えることで情報の処理が的確に進捗しているか否かを容易に認識することができる。
【００５８】
また請求項２に記載された発明によれば、表示項目選択手段が、二次元座標上にマークで表示する所定の処理項目を複数の処理項目のうちから選択するので、二次元座標上に必用なマークだけを表示することができる。
【００５９】
また請求項３に記載された発明によれば、複数の処理項目を複数の群に分けて表示する群分け表示手段が、各群毎にマークの形状あるいは色彩を異ならせて表示するので、各群のマークの識別を容易にして該マークの配列パターンを認識し易くすることができる。
【００６０】
また請求項４に記載された発明によれば、目標処理時刻表示手段が、目標処理時刻記憶手段に記憶された複数の処理項目の各々の処理が終了すべき目標処理時刻を二次元座標上に表示するので、二次元座標上に表示されたマークを目標処理時刻と比較することで、各々の処理項目の処理がオンタイムで終了しているか否かを容易かつ確実に判断することができる。
【００６１】
また請求項５に記載された発明によれば、処理状況出力手段が、二次元座標の時間の経過を示す座標軸に、情報を送信して情報の返信を受ける地域の時間と、情報を加工する地域の時間とを表示するので、両地域で処理が実行される時刻を、それぞれの地域の時間で知ることができる。
【００６２】
また請求項６に記載された発明によれば、処理状況出力手段が、二次元座標の時間の経過を示す座標軸に現在の時刻を表示するので、現在の時刻に対する情報処理の進捗状況を容易に把握することができる。
【００６３】
また請求項７に記載された発明によれば、処理状況出力手段が、地域別時間記憶手段に記憶された地域別の時間のうちから、時間表示地域選択手段で選択した地域別の時間を二次元座標の時間の経過を示す座標軸に表示するので、情報を送信して情報の返信を受ける地域の時間と、情報を加工する地域の時間とを表示することで、両地域の時差を考慮した情報処理の進捗状況を容易に把握することができる。
【００６４】
また請求項８に記載された発明によれば、処理状況出力手段が、二次元座標の時間の経過を示す座標軸に勤務時間を表示するので、勤務時間を考慮した情報処理の進捗状況を容易に把握することができ、また相手地域に連絡をとるタイミングを誤ることがない。
【００６５】
また請求項９に記載された発明によれば、処理状況出力手段が、二次元座標の時間の経過を示す座標軸に休祭日を表示するので、休祭日を考慮した情報処理の進捗状況を容易に把握することができ、また相手地域に連絡をとるタイミングを誤ることがない。
【００６６】
また請求項１０に記載された発明によれば、時間表示地域選択手段が複数の地域を選択して処理状況出力手段が複数の地域の時間を同時に表示するので、複数の地域の時間の時差を確実に認識することができる。
【図面の簡単な説明】
【図１】情報処理進捗状況確認システムのブロック図
【図２】処理状況出力手段の画面の第１の例を示す図
【図３】処理状況出力手段の画面の第２の例を示す図
【図４】処理状況出力手段の画面の第３の例を示す図
【符号の説明】
１３        情報処理手段
１５        処理状況確認手段
１８        国（地域）別時間記憶手段
１８ａ      勤務時間記憶手段
１８ｂ      休祭日記憶手段
２０        処理状況出力手段
２１        処理項目選択手段
２２        目標処理時刻記憶手段
２３        目標処理時刻表示手段
２４        時間表示国（地域）選択手段
２５        現在時刻表示手段
２６        群分け表示手段
【図１】
2004302570.tif 000003
【図２】
2004302570.tif 000004
【図３】
2004302570.tif 000005
【図４】
2004302570.tif 000006